(57)【要約】【課題】重くて煩雑な発信と受信設備を要せず、発信者はトランスミット装置を介して映像音声データを圧縮及びデジタル転換の過程を介して迅速的に映像音声データ・プラット・ホームの目的終端へトランスミットでき、受信者は場所を問わず簡単な受信装置を持つことによって中継再生を実行でき、充分に中継の機動性と臨場感の要求を満足できるように設定される個人携帯式中継システムを提供すること。【解決手段】撮影し得た映像音声データを即時に目的終端にトランスミットしてメディアの即時中継放送のニーズを満足できる個人携帯式中継システムにおいて、トランスミット装置と、自動制御ソフトと、映像音声キャッチ手段と、映像音声圧縮プログラムと、デジタル転換手段と、コードレス出力装置と、ケーブル付き出力装置とからなる、個人携帯式中継システムである。【選択図】図１
2005109931.tif 000002
【特許請求の範囲】
【請求項１】
米国電気電子技術者協会の標準規格（ＩＥＥＥ１３９４）インターフェースからなり、撮影されたデジタル式映像音声データを伝達（トランスミット）するトランスミット装置と、
映像音声データ・プラット・ホームの目的終端の通信周波数を検出することによって伝達（トランスミット）される映像音声データの圧縮モードと伝達速度（トランスミット・スピード）を決める自動制御ソフトと、
米国電気電子技術者協会の標準規格（ＩＥＥＥ１３９４）インターフェースの伝達（トランスミット）する映像音声データを圧縮可能な映像音声データに転換できる映像音声キャッチ手段と、
前記映像音声データをフォーマット化される映像音声データ・パッケージになるように圧縮できる映像音声圧縮プログラムと、
自分で目前の通信方式がコードレス・ネットワークまたはケーブル・ネットワークであるかを判断でき、そして出力形式を決め、前記フォーマットされるデジタル映像音声データ・パッケージを第三代モービル通信（３Ｇ）システム仕様に該当するデジタル映像音声データ・パッケージに転換でき、または前記フォーマット化されるデジタル映像音声データ・パッケージをデジタル映像高圧縮（ＭＰＥＧ）仕様のデジタル映像音声データ・パッケージに転換できるデジタル転換手段と、
前記第三代モービル通信（３Ｇ）システム仕様に該当するデジタル映像音声データ・パッケージを映像音声プラット・ホームの目的終端に出力できるコードレス出力装置と、
前記デジタル映像高圧縮（ＭＰＥＧ）仕様に該当するデジタル映像音声データ・パッケージや映像音声データ・パッケージを映像音声プラット・ホームの目的終端に出力できるケーブル出力装置とを有することを特徴とする、
個人携帯式中継システム。
【請求項２】
前記自動制御ソフトには、
パッケージ検出と目的終端検出用の通信周波数を発信でき、且つパッケージ計算器によって前記通信周波数データを受信でき、且つそれを予め設定されるワイド・バンド判別データベースと比較するように設定される、ワイド・バンド検出プログラムと、
前記受信した伝達速度（トランスミット・スピード）と前記ワイド・バンド判別データベースの比較結果を分析し、最も優れる圧縮フォーマットとトランスミット経路を表示し、且つ比較の結果に従って前記映像音声データの圧縮モードと伝達速度（トランスミット・スピード）とを選択するように設定される、ワイド・バンド・モード判別手段とを有することを特徴とする、
請求項１に記載の個人携帯式中継システム。
【請求項３】
前記トランスミット装置の伝達（トランスミット）するデジタル式映像音声データが前記映像音声キャッチ手段を経過しないで、直接的に映像音声圧縮プログラムにフォーマットした映像音声データ・パッケージになるように圧縮形成されることを特徴とする、
請求項１に記載の個人携帯式中継システム。
【請求項４】
前記映像音声キャッチ手段にはデジタル音声信号フローキャッチ手段とデジタル映像信号フローキャッチ手段を有し、前記映像音声キャッチ手段が米国電気電子技術者協会の標準規格（ＩＥＥＥ１３９４）出力インターフェースの伝達（トランスミット）する音声信号データと映像信号データとをそれぞれデジタル音声信号フローキャッチ手段とデジタル映像信号フローキャッチ手段によってキャッチして整合するものであることを特徴とする、
請求項１に記載の個人携帯式中継システム。
【請求項５】
前記デジタル転換手段はフォーマット化されたデジタル映像音声データ・パッケージを第三代モービル通信（３Ｇ）システムの移動体通信システム（ＣＤＭＡ−２０００）仕様に該当するデジタル映像音声データ・パッケージになるように転換でき、且つその出力装置には移動体通信システム（ＣＤＭＡ−２０００）モジュールとＲＦ発信器とを有し、前記移動体通信システム（ＣＤＭＡ−２０００）の仕様に該当するデジタル映像音声データ・パッケージを目的終端に出力できるように設定されることを特徴とする、
請求項１に記載の個人携帯式中継システム。
【請求項６】
前記デジタル転換手段が前記フォーマット化したデジタル映像音声データ・パッケージを第三代モービル通信（３Ｇ）システムにおける移動体通信システム（Ｗ−ＣＤＭＡ）仕様に該当するデジタル映像音声データ・パッケージに転換でき、且つその出力装置には移動体通信システム（Ｗ−ＣＤＭＡ）モジュールとＲＦ発信器とを有し、前記移動体通信システム（Ｗ−ＣＤＭＡ）仕様に該当するデジタル映像音声データ・パッケージを目的終端に出力できることを特徴とする、
請求項１に記載の個人携帯式中継システム。
【請求項７】
前記デジタル転換手段は、フォーマット化されたデジタル映像音声データ・パッケージを第三代モービル通信（３Ｇ）システムにおける移動体通信システム（Ｔ−Ｄ−Ｓ  ＣＤＭＡ）仕様に該当するデジタル映像音声データ・パッケージに転換でき、且つその出力装置には移動体通信システム（Ｔ−Ｄ−Ｓ  ＣＤＭＡ）モジュールとＲＦ発信器を有し、前記移動体通信システム（Ｔ−Ｄ−Ｓ  ＣＤＭＡ）仕様に該当するデジタル映像音声データ・パッケージをファイル伝達プロトコル（ＦＴＰ）を介して目的終端に出力できることを特徴とする、
請求項１に記載の個人携帯式中継システム。
【請求項８】
前記ケーブル出力装置は自動制御システム・パッケージＰＵＳＨ手段であり、動画像及び音声デジタル符号化規格（ＭＰＥＧ）仕様に該当するデジタル映像音声データ・パッケージをファイル伝達プロトコル（ＦＴＰ）を介して目的終端に出力できることを特徴とする、
請求項１に記載の個人携帯式中継システム。
【発明の詳細な説明】
【技術分野】
【０００１】
本発明は、個人携帯式中継システムに係わり、特に自動制御ソフトを有し、検出した通信周波数に従ってそのトランスミットする映像音声データの圧縮モードとトランスミット・スピードを決められ、重量が重く操作に煩雑な発信と受信装置を要せず、映像音声データを３Ｇ（ｔｈｉｒｄ  ｇｅｎｅｒａｔｉｏｎ）またはインターネットを介して映像音声のトランスミットと再生を実行でき、充分に中継の機動性と臨場感のニーズを満足でき、中継設備の体積を減少できると共に、中継コストを節約可能なニーズを満足できる個人携帯式中継システムに関するものである。
【背景技術】
【０００２】
中継の仕事は即時性と機動性と臨場感を要求し、従来の中継はテープ送達の方式を利用し、映像音声データ・テープを中継現場へ送達する。しかしながら、この種の中継方式は撮影地点と中継現場とがあまりにも遠い場合、送達過程中において、よくメッセージを放送するゴールデン時期を失ってしまい、中継の価値と利益を低下させることがある。
【０００３】
テープ送達式音声データの送達による欠陥を改良するために、中継の仕事には“マイクロ・ウエーブ”という映像音声データ・トランスミット方法が導入されており、当該マイクロ・ウェーブは高いほうの周波数（普段は３００ＭＨｚ〜３００ＧＨｚ）と短い波長を有し、普段は１ｍ〜１ｍｍの電磁波である。マイクロ・ウェーブ周波数段では、周波数がかなり高く、電波の回折能力が弱く、そのため、信号のトランスミットは主にマイクロ・ウェーブが視線距離内での直線放送を利用する。この種の放送方式は、中継が速く、時間的効果を取得できる優れた点を有するが、電波の中継過程中に場所や障害物や天気などの影響によって屈折や反射や回折や吸収などを引き起こす場合があり、中継衰弱や中継ディストーションを招く場合もあり、使用することには依然として問題を抱えており不便である。
【０００４】
中継技術の更新に従って、実務的には衛星を利用してトランスミットを実行する“ＳＮＧ”（Ｓａｔｅｌｉｔｅ  Ｎｅｗｓ  Ｇａｔｈｅｒｉｎｇ）によって映像音声データを送達するものが提案されており、それが場所の影響を受けることなく、映像音声データを即時的にはっきりするように中継現場へトランスミットでき、中継の即時性を取得できる。
【０００５】
前記のそれぞれの中継方式はかなり便利であるが、依然として下記のような欠点を有する。つまり、
１．“ＳＮＧ”の要する中継設備がかなり高価であり、一台の信号発信用“ＳＮＧ車”（衛星中継車）は数億円にも及び、中継コストが大きな負担になる。
２．“ＳＮＧ”のリンキング用の“ＳＮＧ車”は、体積があまりにも重く、単に広い場所のみの駐車を許容し、そのような場所こそ現場の即時リンキングを許容し、もし撮影場所の空間が窮屈で、地形が厳しい地点であるなら、“ＳＮＧ車”は進入できなく、やはりテープ送達の方法を利用するしかなくなり、情報を最も近い地点におけるＳＮＧ車に送達する場合こそ、衛星を介して映像音声データを中継現場にトランスミットでき、“ＳＮＧ”の使用にリミットを掛けている。
３．撮影レンズの応用の面では、“ＳＮＧ”は大部分がシングル撮影レンズであり、撮影レンズの応用が活発に実行できなくなり、観客が見られるのはあまりにも窮屈な内容と唖然と感じられる映像であり、臨場感を失ってしまう場合がある。
【０００６】
前記のそれぞれの従来の中継方式がすべて明らかな欠陥を有することに鑑みて、本発明は３Ｇ（ｔｈｉｒｄ  ｇｅｎｅｒａｔｉｏｎ）モービル・ネットワーク（その核心技術がＩＰ（インターネット・プロトコル）パッケージ技術であり、ユーザーに持続的にオンラインさせることができ、随時にリンキング可能な技術である）またはインターネットを介してトランスミットすることによって従来の中継システムの実際使用時の欠点を解消する。
【０００７】
３Ｇ（ｔｈｉｒｄ  ｇｅｎｅｒａｔｉｏｎ）は、第三代モービル通信の略称である。それが新たに振興されるコードレス通信技術であり、即時に高速度でインターネットのサービスをキャッチでき、従来の通信や情報やメディアや娯楽などの間の旧時代のリミットを打破でき、すべてのサービスを整合できる。３Ｇコードレス新技術の発展に従って、アプリケーション・プログラムに高速度のデータのトランスミットの効果を付与できるほか、利便性とデータのキャッチ速度をも向上できる。
【０００８】
本発明の発明者は前記の従来の中継システムが実際に使用される場合の欠点を解消するため、個人の当該事業における累積してきた多年間の経験に基づいて研究開発を進めると共に、既存のインターネットと３Ｇモービル・ネットワークの優れた点を活用した結果、本発明の個人携帯式中継システムを開発し得た。
【０００９】
発信者は映像音声撮影ホスト・マシンの撮影し得た映像音声データを映像音声データ・プラット・ホームへトランスミットでき、受信者は受信信号メディアと圧縮手段と中継装置などからなる受信装置を利用して、いずれの地点や時間などを問わず、すべてネットワークの目的終端にリンキングしてデジタル映像音声データをキャッチでき、また、前記映像音声データを圧縮解除手段によってファイル転換をし、中継装置によって放送し、また、前記受信信号メディアがコードレスまたはケーブル付きの手段を利用でき、前記中継装置としてモービル装置（Ｍｏｂｉｌｅ  Ｄｅｖｉｃｅｓ）や３Ｇ携帯電話（３Ｇ  Ｗｉｒｅｌｅｓｓ）やインターアクト装置（Ｓｍａｒｔ  Ｐｈｏｎｅ）や高画質デジタルテレビやテレビやコンピュータなどのいずれか一種を採用でき、映像音声データの受信形式の従来のリミットを打破できる。
【発明の開示】
【発明が解決しようとする課題】
【００１０】
前記した従来の中継方式にあっては、次のような問題点がある。
＜１＞“ＳＮＧ”の要する中継設備がかなり高価であり、一台の信号発信用“ＳＮＧ車”（衛星中継車）は数億円にも及び、中継コストが大きな負担になる。
＜２＞“ＳＮＧ”のリンキング用の“ＳＮＧ車”は、体積があまりにも重く、単に広い場所のみの駐車を許容し、そのような場所こそ現場の即時リンキングを許容し、もし撮影場所の空間が窮屈で、地形が厳しい地点であるなら、“ＳＮＧ車”は進入できなく、やはりテープ送達の方法を利用するしかなくなり、情報を最も近い地点におけるＳＮＧ車に送達する場合こそ、衛星を介して映像音声データを中継現場にトランスミットでき、“ＳＮＧ”の使用にリミットを掛けている。
＜３＞撮影レンズの応用の面では、“ＳＮＧ”は大部分がシングル撮影レンズであり、撮影レンズの応用が活発に実行できなくなり、観客が見られるのはあまりにも窮屈な内容と唖然と感じられる映像であり、臨場感を失ってしまう場合がある。
【課題を解決するための手段】
【００１１】
上記のような課題を解決するために、本発明の個人携帯式中継システムは、米国電気電子技術者協会の標準規格（ＩＥＥＥ１３９４）インターフェースからなり、撮影されたデジタル式映像音声データを伝達（トランスミット）するトランスミット装置と、映像音声データ・プラット・ホームの目的終端の通信周波数を検出することによって伝達（トランスミット）される映像音声データの圧縮モードと伝達速度（トランスミット・スピード）を決める自動制御ソフトと、米国電気電子技術者協会の標準規格（ＩＥＥＥ１３９４）インターフェースの伝達（トランスミット）する映像音声データを圧縮可能な映像音声データに転換できる映像音声キャッチ手段と、前記映像音声データをフォーマット化される映像音声データ・パッケージになるように圧縮できる映像音声圧縮プログラムと、自分で目前の通信方式がコードレス・ネットワークまたはケーブル・ネットワークであるかを判断でき、そして出力形式を決め、前記フォーマットされるデジタル映像音声データ・パッケージを第三代モービル通信（３Ｇ）システム仕様に該当するデジタル映像音声データ・パッケージに転換でき、または前記フォーマット化されるデジタル映像音声データ・パッケージをデジタル映像高圧縮（ＭＰＥＧ）仕様のデジタル映像音声データ・パッケージに転換できるデジタル転換手段と、前記第三代モービル通信（３Ｇ）システム仕様に該当するデジタル映像音声データ・パッケージを映像音声プラット・ホームの目的終端に出力できるコードレス出力装置と、前記デジタル映像高圧縮（ＭＰＥＧ）仕様に該当するデジタル映像音声データ・パッケージや映像音声データ・パッケージを映像音声プラット・ホームの目的終端に出力できるケーブル出力装置とを有することを特徴とする個人携帯式中継システムである。
【００１２】
また、本発明の個人携帯式中継システムは、前記個人携帯式中継システムであって、前記自動制御ソフトには、パッケージ検出と目的終端検出用の通信周波数を発信でき、且つパッケージ計算器によって前記通信周波数データを受信でき、且つそれを予め設定されるワイド・バンド判別データベースと比較するように設定される、ワイド・バンド検出プログラムと、前記受信した伝達速度（トランスミット・スピード）と前記ワイド・バンド判別データベースの比較結果を分析し、最も優れる圧縮フォーマットとトランスミット経路を表示し、且つ比較の結果に従って前記映像音声データの圧縮モードと伝達速度（トランスミット・スピード）とを選択するように設定される、ワイド・バンド・モード判別手段とを有することを特徴とする個人携帯式中継システムである。
【００１３】
また、本発明の個人携帯式中継システムは、前記個人携帯式中継システムであって、前記トランスミット装置の伝達（トランスミット）するデジタル式映像音声データが前記映像音声キャッチ手段を経過しないで、直接的に映像音声圧縮プログラムにフォーマットした映像音声データ・パッケージになるように圧縮形成されることを特徴とする個人携帯式中継システムである。
【００１４】
また、本発明の個人携帯式中継システムは、前記個人携帯式中継システムであって、前記映像音声キャッチ手段にはデジタル音声信号フローキャッチ手段とデジタル映像信号フローキャッチ手段を有し、前記映像音声キャッチ手段が米国電気電子技術者協会の標準規格（ＩＥＥＥ１３９４）出力インターフェースの伝達（トランスミット）する音声信号データと映像信号データとをそれぞれデジタル音声信号フローキャッチ手段とデジタル映像信号フローキャッチ手段によってキャッチして整合するものであることを特徴とする個人携帯式中継システムである。
【００１５】
また、本発明の個人携帯式中継システムは、前記個人携帯式中継システムであって、前記デジタル転換手段はフォーマット化されたデジタル映像音声データ・パッケージを第三代モービル通信（３Ｇ）システムの移動体通信システム（ＣＤＭＡ−２０００）仕様に該当するデジタル映像音声データ・パッケージになるように転換でき、且つその出力装置には移動体通信システム（ＣＤＭＡ−２０００）モジュールとＲＦ発信器とを有し、前記移動体通信システム（ＣＤＭＡ−２０００）の仕様に該当するデジタル映像音声データ・パッケージを目的終端に出力できるように設定されることを特徴とする個人携帯式中継システムである。
【００１６】
また、本発明の個人携帯式中継システムは、前記個人携帯式中継システムであって、前記デジタル転換手段が前記フォーマット化したデジタル映像音声データ・パッケージを第三代モービル通信（３Ｇ）システムにおける移動体通信システム（Ｗ−ＣＤＭＡ）仕様に該当するデジタル映像音声データ・パッケージに転換でき、且つその出力装置には移動体通信システム（Ｗ−ＣＤＭＡ）モジュールとＲＦ発信器とを有し、前記移動体通信システム（Ｗ−ＣＤＭＡ）仕様に該当するデジタル映像音声データ・パッケージを目的終端に出力できることを特徴とする個人携帯式中継システムである。
【００１７】
また、本発明の個人携帯式中継システムは、前記個人携帯式中継システムであって、前記デジタル転換手段は、フォーマット化されたデジタル映像音声データ・パッケージを第三代モービル通信（３Ｇ）システムにおける移動体通信システム（Ｔ−Ｄ−Ｓ  ＣＤＭＡ）仕様に該当するデジタル映像音声データ・パッケージに転換でき、且つその出力装置には移動体通信システム（Ｔ−Ｄ−Ｓ  ＣＤＭＡ）モジュールとＲＦ発信器を有し、前記移動体通信システム（Ｔ−Ｄ−Ｓ  ＣＤＭＡ）仕様に該当するデジタル映像音声データ・パッケージをファイル伝達プロトコル（ＦＴＰ）を介して目的終端に出力できることを特徴とする個人携帯式中継システムである。
【００１８】
さらに、本発明の個人携帯式中継システムは、前記個人携帯式中継システムであって、前記ケーブル出力装置は自動制御システム・パッケージＰＵＳＨ手段であり、動画像及び音声デジタル符号化規格（ＭＰＥＧ）仕様に該当するデジタル映像音声データ・パッケージをファイル伝達プロトコル（ＦＴＰ）を介して目的終端に出力できることを特徴とする個人携帯式中継システムである。
【発明の効果】
【００１９】
本発明の個人携帯式中継システムは、上記した課題を解決するための手段により、次のような効果を得ることができる。
すなわち、発信者はトランスミット装置を利用して映像音声データをまず自動制御ソフトの検出し得た通信周波数によってその映像音声データをトランスミットする圧縮モードとトランスミット・スピードを決定し、また圧縮とデジタル転換の過程を経過して迅速に映像音声データ・プラット・ホームの目的終端に送信でき、受信者は単に受信装置を入手すれば即時の送受信と再生を実行できる。
【発明を実施するための最良の形態】
【００２０】
以下、図面を参照しながら本発明の実施の形態について説明する。
【００２１】
図１ないし図３に示すように、本発明にはトランスミット装置１と、自動制御ソフト２と、映像音声圧縮プログラム４と、デジタル転換手段５と、コードレス出力装置６とを有しつつ、前記トランスミット装置１は米国電気電子技術者協会の標準規格（ＩＥＥＥ１３９４）インターフェース（以下「ＩＥＥＥ１３９４インターフェース」という）からなり、撮影し得たデジタル式映像音声データを伝達（トランスミット）することができる。また、前記自動制御ソフト２は映像音声データ・プラット・ホームの目的終端Ａの通信周波数を検出でき、それらの情報によって映像音声データをトランスミットするための圧縮モードと伝達速度（トランスミット・スピード）を決定でき、それには、ＩＥＥＥ１３９４出力インターフェースのコードレス・トランスミット周波数を検出でき、且つ検出パッケージを発信でき、且つ目的終端Ａの通信周波数を検出でき、且つパッケージ計算器２１１によって通信周波数データを受信でき、且つ予め設定されるワイド・バンド判別データ・ベース２１２と比較できるワード・バンド検出プログラム２１と、前記受信したトランスミット・スピード情報と前記ワイド・バンド判別データベース２１２の比較結果に従って最も優れる圧縮フォーマットとトランスミット経路を表示でき、且つ比較結果に従ってその映像音声データの圧縮モードとトランスミット・スピードを選択できるワイド・バンド・モード判別手段２２とを有する。
【００２２】
また、前記映像音声キャッチ手段３は、デジタル音声信号フロー・キャッチ手段３１とデジタル映像信号フロー・キャッチ手段３２とを有し、その映像音声キャッチ手段３は前記ＩＥＥＥ１３９４出力インターフェースのトランスミットする音声信号と映像信号とをそれぞれ前記デジタル音声信号フロー・キャッチ手段３１と前記デジタル映像信号フロー・キャッチ手段３２によってキャッチ整合し、且つ圧縮可能な映像音声データに転換する。
【００２３】
また、前記映像音声圧縮プログラム４が前記映像音声データをフォーマット化されるデジタル映像音声データ・パッケージになるように圧縮できる。
【００２４】
また、前記デジタル転換手段５が自分で現在の通信方式がコードレス・ネットワークまたはケーブル付きネットワークであるかのことを判別でき、それによって出力形式を決定し、前記のフォーマット化されるデジタル映像音声データ・パッケージを３Ｇシステムにおける移動体通信システム（ＣＤＭＡ−２０００）仕様（以下「ＣＤＭＡ−２０００仕様」という）に該当するデジタル映像音声データ・パッケージに転換し、または前記フォーマット化されるデジタル映像音声データ・パッケージを動画像及び音声デジタル符号化規格（ＭＰＥＧ）仕様（以下「ＭＰＥＧ仕様」という）に該当するデジタル映像音声データ・パッケージに転換できる。
【００２５】
また、前記コードレス出力装置６には、３Ｇシステムに該当するＣＤＭＡ−２０００モジュール６１とＲＦ発信器６２とを有し、前記ＣＤＭＡ−２０００の仕様に該当するデジタル映像音声データ・パッケージを映像音声データ・プラット・ホームの目的終端Ａに出力できる。
【００２６】
また、前記ケーブル付き出力装置７は自動制御システム・パッケージのＰＵＳＨ手段であり、前記ＭＰＥＧ仕様に該当するデジタル映像音声データ・パッケージをＦＴＰ７１またはＲｅｑｕｅｓｔ  Ｃｏｌｌｅｃｔｏｒ７２を介して映像音声データ・プラット・ホームの目的終端Ａに出力できる。
【００２７】
前記に説明した個人携帯式中継システムについて、図１ないし図４に示すように、発信者は映像音声撮影ホスト・マシン１０を利用して撮影と同時に撮影し得たデジタル式映像音声データをＩＥＥＥ１３９４出力インターフェースを有するトランスミット装置１より出力すると共に、自動制御ソフト２によって映像音声データ・プラット・ホームの目的終端Ａの通信周波数を検出することによりトランスミットされる映像音声データの圧縮モードとトランスミット・スピードを決定し、且つ映像音声圧縮プログラム４によってトランスミット１の入力するデジタル映像音声データをフォーマット化されるデジタル映像音声データ・パッケージになるように圧縮し、且つデジタル転換手段５によって自分で目前の通信方式がコードレスネットワークであるか、ケーブル付きネットワークであるかのことを判別し、最も優れる出力形式を決定し、既にフォーマット化されるデジタル映像音声データ・パッケージを３ＧシステムにおけるＣＤＭＡ−２０００仕様に該当するデジタル映像音声データ・パッケージに転換し、またはフォーマット化されるデジタル映像音声データ・パッケージをＭＰＥＧ仕様に該当するデジタル映像音声データ・パッケージに転換する。
【００２８】
もし、既にフォーマット化されるデジタル映像音声データがＣＤＭＡ−２０００仕様のデジタル映像音声データ・パッケージに転換される場合、ＣＤＭＡ−２０００モジュール６１とＲＦ発信器６２からなるコードレス出力装置６を合せて、デジタル映像音声データ・パッケージを映像音声データ・プラット・ホームの目的終端Ａに出力できる。
【００２９】
もし、既にフォーマット化されるデジタル映像音声データがＭＰＥＧ仕様に該当するデジタル映像音声データ・パッケージに転換する場合、ケーブル付き出力装置７に合せて前記ＭＰＥＧ仕様に該当するデジタル映像音声データ・パッケージをＦＴＰ７１を介して映像音声データ・プラット・ホームの目的終端Ａへ出力でき、受信者がコードレス信号受信メディア８１と圧縮解除手段８２と中継装置８３からなるコードレス受信装置８を介してデジタル映像音声データをキャッチでき、且つ前記コードレス信号受信メディア８１が距離のリミットを打破でき、いずれの地点やいずれの時間を問わず、受信者はネットワークの目的終端Ａにリンキングでき、デジタル映像音声データをキャッチでき、且つ前記圧縮解除手段８２によってファイル転換して中継装置８３より放送し出すことができ、且つ中継装置８３としてモービル・デバイス（Ｍｏｂｉｌｅ  Ｄｅｖｉｃｅ）８３１や３Ｇ携帯電話（３Ｇ  Ｗｉｒｅｌｅｓｓ）８３２やインターアクト装置８３３（Ｉｎｔｅｒａｃｔｉｖｅ  Ｄｅｖｉｃｅ）や高画質デジタル・テレビ８３４やテレビ８３５などのそれぞれのタイプのコードレス・プラット・ホームを使用でき、中継を固定の形式のみに制限されないようにすることができ、機動性を充分に発揮できる。
【００３０】
他に、受信者はケーブル信号受信メディア９１と圧縮解除手段９２と中継装置９３からなるケーブル付き受信装置９を介してデジタル映像音声データをキャッチでき、且つ前記中継装置９３として、高画質デジタル・テレビ９３１やテレビ９３２やコンピュータ９３３などのそれぞれのタイプのケーブル付きプラット・ホームを使用できる。
【００３１】
また、本発明の第二の実施の形態としての図１ないし図５に示すコードレス出力装置６が３Ｇシステムに該当するＷ−ＣＤＭＡモジュール６３とＲＦ発信器６２からなるものを使用できる。
【００３２】
また、前記デジタル転換手段５がコードレス出力装置６の仕様に合せることによってフォーマット化されるデジタル映像音声データ・パッケージを３Ｇシステムにおける移動体通信システム（Ｗ−ＣＤＭＡ）仕様（以下。「Ｗ−ＣＤＭＡ仕様」という）に該当するデジタル映像音声データ・パッケージに転換でき、且つ前記コードレス出力装置６を介して前記Ｗ−ＣＤＭＡ仕様に該当するデジタル映像音声データ・パッケージを映像音声データ・プラット・ホームの目的終端Ａに出力できる。
【００３３】
本発明の第三の実施の形態は、図１と図６に示すように、その中のコードレス出力装置６として３Ｇシステムに該当する移動体通信システム（Ｔ−Ｄ−Ｓ  ＣＤＭＡ）（以下、「Ｔ−Ｄ−Ｓ−ＣＤＭＡ」という）モジュール６４とＲＦ発信器６２からなるものを使用できる。
【００３４】
また、そのデジタル転換手段５がコードレス出力装置６の仕様に合せてフォーマット化されるデジタル映像音声データ・パッケージを３ＧシステムにおけるＴ−Ｄ−Ｓ−ＣＤＭＡ仕様に該当するデジタル映像音声データ・パッケージを前記コードレス出力装置６を介して前記のＴ−Ｄ−Ｓ−ＣＤＭＡ仕様に該当するデジタル映像音声データ・パッケージを映像音声データ・プラット・ホームの目的終端Ａに出力できる。
【００３５】
前記のそれぞれの実施の形態の実現することから本発明が下記のような優れる点を有することが分かる。つまり、
１．重くて操作が煩雑である発信と受信設備を要しないまま、映像音声データを３Ｇ（Ｔｈｉｒｄ  Ｇｅｎｅｒａｔｉｏｎ）またはインターネットを介してトランスミットでき、中継装置の体積を減少できると共に、即時性と機動性の要求を満足できる。
２．中継コストを節約できる。
３．撮影者は従来のリンキングのような所定地点に限られて所定の撮影しか実行できない困惑を受けないことができ、複数台の映像音声撮影ホスト・マシン１０を使用してそれぞれの視野角度の細かい撮影を実行でき、撮影の内容を豊かにすることができると共に、レンズに変化を富むように作用させることができ、中継の臨場感の要求を充分に満足できる。
４．映像音声データを映像音声データ・プラット・ホームの目的終端Ａにトランスミットでき、受信者に所在する環境に従って柔軟的に前記のケーブル付き受信装置９またはコードレス受信装置などの多元化の中継プラット・ホームを使用して受信でき、且つ再生し出すことができる。
【図面の簡単な説明】
【００３６】
【図１】本発明の中継フローを示す説明図である。
【図２】本発明のコードレス・トランスミット・フローを示す説明図である。
【図３】本発明の自動制御ソフトの細部フローを示す説明図である。
【図４】本発明の受信フローを示す説明図である。
【図５】本発明の第二の実施の形態を示すフローチャートである。
【図６】本発明の第三の実施の形態を示すフローチャートである。
【符号の説明】
【００３７】
１・・・・トランスミット装置
２・・・・自動制御ソフト
３・・・・映像音声キャッチ手段
４・・・・映像音声圧縮プログラム
５・・・・デジタル転換手段
６・・・・コードレス出力装置
７・・・・ケーブル付き出力装置
８・・・・コードレス受信装置
９・・・・ケーブル付き受信装置
１０・・・映像音声撮影ホスト・マシン
２１・・・ワイド・バンド検出プログラム
２２・・・ワイド・バンド・モード検出手段
３１・・・デジタル音声信号フロー・キャッチ手段
３２・・・デジタル映像信号フロー・キャッチ手段
６１・・・ＣＤＭＡ−２０００モジュール
６２・・・ＲＦ発信器
６３・・・Ｗ−ＣＤＭＡモジュール
６４・・・Ｔ−Ｄ−Ｓ  ＣＤＭＡモジュール
７１・・・ＦＴＰ
８１・・・コードレス信号受信メディア
８２・・・圧縮解除手段
８３・・・中継装置
９１・・・ケーブル信号受信メディア
９２・・・圧縮解除手段
９３・・・中継装置
２１１・・パッケージ計算器
２１２・・ワイド・バンド判別データベース
８３１・・モービル・デバイス
８３２・・３Ｇ携帯電話
８３３・・インターアクト装置
８３４・・高画質デジタル・テレビ
８３５・・テレビ
９３１・・高画質デジタル・テレビ
９３２・・テレビ
９３３・・コンピュータ
Ａ・・・・目的終端
【図１】
2005109931.tif 000003
【図２】
2005109931.tif 000004
【図３】
2005109931.tif 000005
【図４】
2005109931.tif 000006
【図５】
2005109931.tif 000007
【図６】
2005109931.tif 000008